(57)【要約】【課題】光源を電源に転換し、蓄電ユニットに保存し、スケートボードの作動に必要なエネルギーを供給することができる太陽エネルギースケートボードを提供する。【解決手段】板体１、太陽エネルギー電池２、蓄電ユニット３、及びモーター５を備える。板体１にはローラー１５１を設置し、モーター５はローラー１５１を駆動しスライド動させ、太陽エネルギー電池２及び蓄電ユニット３は板体１に設置し、しかも蓄電ユニット３はそれぞれモーター５及び太陽エネルギー電池２と導電性の連接を行い、太陽エネルギー電池２は蓄電ユニット３に電力を供給する。【選択図】図１
0003124619.tif 000002
【実用新案登録請求の範囲】
【請求項１】
板体、太陽エネルギー電池、蓄電ユニット、及びモーターを備え、
該板体にはローラーが設置され、
該モーターはローラーを駆動しスライド移動させ、
該太陽エネルギー電池及び該蓄電ユニットは該板体に設置され、該蓄電ユニットはそれぞれ該モーター及び該太陽エネルギー電池と連接され、該太陽エネルギー電池は該蓄電ユニットに電力を供給することを特徴とする太陽エネルギースケートボード。
【請求項２】
前記蓄電ユニットには過充電保護器を設置することを特徴とする請求項１に記載の太陽エネルギースケートボード。
【請求項３】
前記蓄電ユニットには供電コンセントを設置することを特徴とする請求項１に記載の太陽エネルギースケートボード。
【請求項４】
前記蓄電ユニットには充電コンセントを設置することを特徴とする請求項１に記載の太陽エネルギースケートボード。
【請求項５】
前記太陽エネルギースケートボードは制御ユニットを備え、該制御ユニットによりモーターを制御し、
該板体はペダルと後輪フレームとを備え、該ペダルは該板体の後輪フレームに可動接続し、
該制御ユニットは起動スイッチを備え、該起動スイッチは該後輪フレームに設置し、該モーターと該蓄電ユニットとの間に連結し、該起動スイッチは該ペダルに対応することを特徴とする請求項１に記載の太陽エネルギースケートボード。
【請求項６】
前記ペダルは第一端、中段、第二端を備え、
該ペダル中段は該第一端と該第二端との間に位置し、該ペダル中段は該板体に可動接続し、
該第一端は該起動スイッチに対応し、
該第二端は該ローラーに対応することを特徴とする請求項５に記載の太陽エネルギースケートボード。
【請求項７】
前記制御ユニットは安全スイッチを備え、該起動スイッチは該安全スイッチと該蓄電ユニットとの間に導電性連結することを特徴とする請求項５に記載の太陽エネルギースケートボード。
【請求項８】
前記制御ユニットはブレーカーを備え、該ブレーカーは該起動スイッチと該蓄電ユニットとの間に連結することを特徴とする請求項７に記載の太陽エネルギースケートボード。
【請求項９】
前記太陽エネルギー電池は該板体の上表面に設置することを特徴とする請求項１に記載の太陽エネルギースケートボード。
【請求項１０】
前記太陽エネルギー電池は該板体の下表面に設置することを特徴とする請求項１に記載の太陽エネルギースケートボード。
【考案の詳細な説明】
【技術分野】
【０００１】
本考案は一種の太陽エネルギースケートボードに関する。特に一種の光エネルギーを電気エネルギーに転換し蓄電し、供電しスケートボードを駆動し、或いは電気エネルギーを電気製品の使用に供給し、ポータブル光エネルギー式充電器とし、或いは充電コンセントにより光線が弱い時には充電することもできる太陽エネルギースケートボードに係る。
【背景技術】
【０００２】
現在の電動スケートボードは米国特許第５，３３０，０２６号、公開２００５／０１３９４０６号のように、その構造は電池によりモーターに電力を供給しローラーを回転させるものである。内、第５，３３０，０２６号はリモコンによりモーターを制御し、公開２００５／０１３９４０６号はスケートボード上のスイッチにコードを接続し制御するものである。
【０００３】
しかし公知の電動スケートボードは充電式の電池によりスケートボードに電力を供給しなければならなかったため、以下のような制限がある。
（１）充電地点の制限：外部電源に接続する必要があるため外部電源がある特定地点でのみ充電が可能で、不便である。
（２）使用範囲の制限：外部電源がある特定地点の一定範囲内でのみ活動が可能である。
【考案の開示】
【考案が解決しようとする課題】
【０００４】
本考案は上記構造の問題点を解決した太陽エネルギースケートボードを提供するものである。
【課題を解決するための手段】
【０００５】
上記課題を解決するため、本考案は下記の太陽エネルギースケートボードを提供する。
それは主に一種の太陽エネルギースケートボードを提供し、太陽エネルギー電池により光エネルギーを電気エネルギーに転換し、スケートボードを駆動し、電気エネルギーを電気製品に供給することもでき、移動式光エネルギー充電器として使用することができる。すなわち本考案の太陽エネルギースケートボードは、板体、太陽エネルギー電池、蓄電ユニット、及びモーターを備える。該板体にはローラーを設置し、該モーターはローラーを駆動しスライド動させ、該太陽エネルギー電池及び該蓄電ユニットは該板体に設置し、しかも該蓄電ユニットはそれぞれ該モーター及び該太陽エネルギー電池と導電性の連接を行い、該太陽エネルギー電池は該蓄電ユニットに電力を供給する。該蓄電ユニットには過充電保護器及びコンセントを設置し、該コンセントは供電コンセント及び充電コンセントである。さらに制御ユニットを備え、該制御ユニットによりモーターを制御し、該制御ユニットは起動スイッチを備え、該板体はペダルと後輪フレームを備え、該ペダルは該板体の後輪フレームに可動接続し、該起動スイッチは該後輪フレームに設置し、しかも該モーターと該蓄電ユニットとの間に導電性連結し、該起動スイッチは該ペダルに対応する。またペダルは第一端、中段、第二端を備え、該ペダル中段は該第一端と該第二端の間に位置し、該ペダル中段は該板体に可動接続し、該第一端は該起動スイッチに対応し、該第二端は該ローラーに対応する。さらに制御ユニットは安全スイッチ及びブレーカーを備え、該起動スイッチは該安全スイッチと該蓄電ユニットとの間に導電性連結し、該ブレーカーは該起動スイッチと該蓄電ユニットとの間に導電性連結する。また太陽エネルギー電池は該板体の上表面或いは下表面に設置することを特徴とする太陽エネルギースケートボードである。
【０００６】
（考案の効果）
上記のように、本考案は太陽エネルギー電池を利用し、光源を電源に転換し、蓄電ユニットに保存し、スケートボードの作動に必要なエネルギーを供給することができる。さらに即時充電が可能で、機動性及び敏捷性を具え、太陽光或いは光線があれば即充電を行うことができる。また蓄電ユニットは電気製品に電力を出力し使用することができる。さらに本考案は充電コンセントも具えるため光線が弱い時には充電することもできる。
【考案を実施するための最良の形態】
【０００７】
図１に示すように、本考案の第一実施例は板体１、太陽エネルギー電池２、蓄電ユニット３、制御ユニット４、及びモーター５を備える。
該板体１にはローラー１５１を設置し、該モーター５は該ローラー１５１を駆動しスライド動させる。
該太陽エネルギー電池２及び該蓄電ユニット３は該板体１に設置し、該太陽エネルギー電池２は該板体１の上表面に設置し、しかも該蓄電ユニット３はそれぞれ該モーター５及び該太陽エネルギー電池２とコードにより連接(すなわち導電性連接／一般的な手段であるため図示なし)する。
【０００８】
該太陽エネルギー電池２は該蓄電ユニット３に電力を供給する。その詳細構造は図２及び図３に示すように、該板体１は直管１１、立板１２１３、前輪フレーム１４、後輪フレーム１５、ピボット１６、サポート板１７、パネル１８、及びペダル１９を備える。
該直管１１両端にはそれぞれ立板１２１３を固設し、しかも該直管１１及び該立板１２１３上にはサポート板１７を固設する。
【０００９】
該サポート板１７上にはパネル１８を設置し、該パネル１８には穿孔１８１を設置する。しかも該パネル１８は該太陽エネルギー電池２に固設し（図中のパネル１８は孔を設置し、該太陽エネルギー電池２を収容）、該立板１２は前輪フレーム１４を固設する。
該立板１３は該後輪フレーム１５を固設し、該前輪フレーム１４は該前輪１４１を可動接続する。
【００１０】
該後輪フレーム１５には該ローラー１５、該起動スイッチ４３（後述）、及び該モーター５１を設置する。
該モーター５はベルト５１により該ローラー１５１を駆動し、スライド動させ、該後輪フレーム１５には別にピボット１６を設置する。
該ピボット１６はバネ１６１を嵌設し、ペダル１９を可動接続する。
【００１１】
該ペダル１９は第一端１９１、中段、及び第二端１９２を備え、該ペダル１９の中段は該第一端１９１と該第二端１９２との間に位置する。該ペダル１９の中段には軸カバー１９３を設置し、（板体１の）ピボット１６に可動接続する。該第一端１９１は該起動スイッチ４３に対応し、該第二端１９２は該ローラー１５１に対応する。該ペダル１９の第二端１９２付近には別に孔１９４を開設し、ハンドルを形成する。
【００１２】
該蓄電ユニット３には過充電保護器３１、供電コンセント３２、及び充電コンセント３３を設置する。該供電コンセント３２及び該充電コンセント３３は該後輪フレーム１５に設置し、しかもそれぞれその他電気製品に供電可能で、或いは本実施例では夜間、曇天、雨天、冬季等の光線が弱い時の充電に用いる。
該制御ユニット４はブレーカー４１、安全スイッチ４２、起動スイッチ４３、及びヒューズ４４を備える。
【００１３】
該ブレーカー４１は該後輪フレーム１５に設置し、しかも該蓄電ユニット３に連結する。該安全スイッチ４２は該前輪フレーム１４に設置し、該安全スイッチ４２は穿孔１８１より穿出する。該起動スイッチ４３は該板体１の後輪フレーム１５に設置し、しかもコードにより該モーター５に導電性連結する。
該ブレーカー４１、該安全スイッチ４２、及び該起動スイッチ４３の導電性連結(すなわちコードによる連接／一般の手段であるため図示なし)は、ちょうど該蓄電ユニット３と該モーター５間に介在し、しかも該起動スイッチ４３は該ペダル１９の第一端１９１に対応する。
【００１４】
前進操作時には先ずブレーカー４１を開き、図４に示すように、使用者は前足で該安全スイッチ４２を踏み、後足で該ペダル１９の第一端１９１を踏み、該起動スイッチ４３を押し、該モーター５は該ローラー１５１の前進を連動する。
ブレーキ時には図５に示すように、使用者は後足で再度該ペダル１９の第二端１９２を踏むと、該ペダル１９の第一端１９１は該起動スイッチ４３を離れ電源が切れる。同時に該ペダル１９の第二端１９２により該ローラー１５１を下方へと押しブレーキを掛ける。
本考案の第二実施例では、図６に示すように、板体１Ａ、太陽エネルギー電池２Ａ、蓄電ユニット３Ａ、及びモーター５Ａを備える。
該太陽エネルギー電池２Ａは該板体１Ａの下表面に設置する。
【図面の簡単な説明】
【００１５】
【図１】本考案の第一実施例による太陽エネルギースケートボードの斜視図である。
【図２】本考案の第一実施例による太陽エネルギースケートボードの分解斜視図である。
【図３】本考案の第一実施例による太陽エネルギースケートボードの電気系統制御プロセスのブロックチャートである。
【図４】本考案の第一実施例による太陽エネルギースケートボードの前進を示す使用指示図である。
【図５】本考案の第一実施例による太陽エネルギースケートボードのブレーキを示す使用指示図である。
【図６】本考案の第二実施例による太陽エネルギースケートボードの斜視図(底部が上向き状)である。
【符号の説明】
【００１６】
１  板体、２  太陽エネルギー電池、３  蓄電ユニット、４  制御ユニット、５  モーター、１１  直管、１２１３  立板、１４  前輪フレーム、１４１  前輪、１５  後輪フレーム、１５１  ローラー、１６  ピボット、１６１  バネ、１７  サポート板、１８  パネル、１８１  穿孔、１９  ペダル、１９１  第一端、１９２  第二端、１９３  軸カバー、１９４  孔、３１  過充電保護器、３２  供電コンセント、３３  充電コンセント、４１  ブレーカー、４２  安全スイッチ、４３  起動スイッチ、４４  ヒューズ、１Ａ  板体、２Ａ  太陽エネルギー電池、３Ａ  蓄電ユニット、５Ａ  モーター
【図１】
0003124619.tif 000003
【図２】
0003124619.tif 000004
【図３】
0003124619.tif 000005
【図４】
0003124619.tif 000006
【図５】
0003124619.tif 000007
【図６】
0003124619.tif 000008